(57)【要約】【課題】ロール部材が発熱部に押し付けられた状態でそのロール部材が回転したときに、そのロール部材が発熱部に押し付けられた状態を維持する。【解決手段】加圧部５６５は、回転軸５６７を中心として回転することにより、発熱部５６０と離間したり接したりする。圧接部ＮＰにおいて生じる摩擦力Ｆを表すベクトルの始点側の延長戦上に、回転軸５６７の回転中心５７４があるため、加圧部５６５が回転軸５６７を中心として回転しても、回転軸５６７周りの回転モーメントは発生しない。その結果、加圧力ＷＦは、回転モーメントによる影響を受けることはない。【選択図】図５
2012203246.tif 000002
【特許請求の範囲】
【請求項１】
発熱する発熱部と、
回転可能なロール部材であって、或る点を中心にして円運動を行うことにより、前記発熱部に押し付けられた状態と前記発熱部から離間させられた状態とのうちいずれかの状態になるロール部材と、
前記ロール部材を回転駆動する駆動手段であって、前記ロール部材が前記発熱部に押し付けられた状態においては、前記ロール部材と前記発熱部との間に挟まれた、トナー像転写後の媒体を搬送するよう、前記ロール部材を回転させる駆動手段とを備え、
前記ロール部材が前記発熱部に押し付けられた状態で前記駆動手段によって回転駆動させられているときに、前記ロール部材が前記媒体から受ける摩擦力を表すベクトルの始点側の延長線上に、前記円運動の中心となる前記或る点がある
ことを特徴とする定着装置。
【請求項２】
感光層を有し、軸を中心に回転する感光体と、
前記感光層を帯電させる帯電部と、
画像データに応じた光を照射することにより、前記帯電した感光層を露光し、潜像を形成する露光部と、
前記形成された潜像をトナーで現像し、トナー像を形成する現像部と、
前記形成されたトナー像を前記感光体から媒体に転写する転写部と、
前記媒体に転写されたトナー像を当該媒体に定着させる請求項１に記載の定着装置と
を備える画像形成装置。
【発明の詳細な説明】
【技術分野】
【０００１】
本発明は、定着装置及び画像形成装置に関する。
【背景技術】
【０００２】
特許文献１には、互いに接触することにより圧接面を形成する回転可能な定着部材及び回転可能な加圧部材を、圧接及び離間させるカムを備えた定着装置が記載されている。
【先行技術文献】
【特許文献】
【０００３】
【特許文献１】特開２０１１−３９３６５号公報
【発明の概要】
【発明が解決しようとする課題】
【０００４】
本発明は、発熱する発熱部と、円運動を行うことにより、発熱部に押し付けられた状態と発熱部から離間させられた状態とのうちいずれかの状態になるロール部材とを備えた定着装置において、ロール部材が発熱部に押し付けられた状態でそのロール部材が回転したときに、そのロール部材が発熱部に押し付けられた状態を維持することを目的とする。
【課題を解決するための手段】
【０００５】
上記課題を解決するために、本発明は、発熱する発熱部と、回転可能なロール部材であって、或る点を中心にして円運動を行うことにより、前記発熱部に押し付けられた状態と前記発熱部から離間させられた状態とのうちいずれかの状態になるロール部材と、前記ロール部材を回転駆動する駆動手段であって、前記ロール部材が前記発熱部に押し付けられた状態においては、前記ロール部材と前記発熱部との間に挟まれた、トナー像転写後の媒体を搬送するよう、前記ロール部材を回転させる駆動手段とを備え、前記ロール部材が前記発熱部に押し付けられた状態で前記駆動手段によって回転駆動させられているときに、前記ロール部材が前記媒体から受ける摩擦力を表すベクトルの始点側の延長線上に、前記円運動の中心となる前記或る点があることを特徴とする定着装置を提供する。
【０００６】
また、本発明は、感光層を有し、軸を中心に回転する感光体と、前記感光層を帯電させる帯電部と、画像データに応じた光を照射することにより、前記帯電した感光層を露光し、潜像を形成する露光部と、前記形成された潜像をトナーで現像し、トナー像を形成する現像部と、前記形成されたトナー像を前記感光体から媒体に転写する転写部と、前記媒体に転写されたトナー像を当該媒体に定着させる請求項１に記載の定着装置とを備える画像形成装置を提供する。
【発明の効果】
【０００７】
請求項１に係る発明によれば、円運動の中心となる或る点が、ロール部材が媒体から受ける摩擦力を表すベクトルの始点側の延長線上にない場合と比較して、発熱する発熱部と、円運動を行うことにより、発熱部に押し付けられた状態と発熱部から離間させられた状態とのうちいずれかの状態になるロール部材とを備えた定着装置において、ロール部材が発熱部に押し付けられた状態でそのロール部材が回転したときに、そのロール部材の発熱部に押し付けられた状態が維持される。
請求項２に係る発明によれば、円運動の中心となる前記或る点が、ロール部材が媒体から受ける摩擦力を表すベクトルの始点側の延長線上にない場合と比較して、媒体上におけるトナー像の定着の不良が起こりにくくなる。
【図面の簡単な説明】
【０００８】
【図１】画像形成装置のハードウェア構成を示すブロック図
【図２】画像形成部の構成を示す図
【図３】定着装置の構成を表す断面図
【図４】定着装置の構成を表す断面図
【図５】実施形態における定着装置の構成を表す断面図
【発明を実施するための形態】
【０００９】
以下、本発明の実施形態について説明する。
＜実施形態＞
＜構成＞
図１は、画像形成装置１００のハードウェア構成を示すブロック図である。画像形成装置１００は、例えばプリンタであり、制御部１０と、通信部２０と、操作部３０と、記憶部４０と、画像形成部５０とを備える。制御部１０は、ＣＰＵ（Central Processing Unit）、ＲＯＭ（Read Only Memory）及びＲＡＭ（Random Access Memory）を有する。制御部１０において、ＣＰＵが、ＲＯＭ又は記憶部４０に記憶されているプログラムをＲＡＭにロードして実行することによって、画像形成装置１００の各部を制御する。
【００１０】
通信部２０は、外部装置とデータを送受信するためのインタフェースを備え、例えば、情報処理装置（非図示）から送信される画像データを受信する。操作部３０は、ボタン等の操作子を備え、ユーザの操作に応じてその操作内容を表す操作信号を制御部１０に出力する。記憶部４０は、ＨＤＤ（Hard Disk Drive）等の記憶装置を備え、例えば、画像形成対象となる画像データやプログラム等を記憶する。画像形成部５０は、帯電、露光、現像、転写、定着といった電子写真プロセスにより、Ｙ（イエロー）、Ｍ（マゼンタ）、Ｃ（シアン）、及びＫ（ブラック）の４色のトナーによって用紙などの媒体に画像を形成する。
【００１１】
図２は、画像形成部５０の構成を示す図である。画像形成部５０は、一次転写部５１Ｙ、５１Ｍ、５１Ｃ、及び５１Ｋと、露光部５２と、中間転写部５３と、二次転写部５４と、複数の搬送ロール５５と、定着部５６とを有する。一次転写部５１は、像保持体であって
感光層を有し軸を中心に回転する感光体ドラムと、帯電装置と、現像装置５１１Ｙ、５１１Ｍ、５１１Ｃ、及び５１１Ｋと、一次転写ロールとを有する。中間転写部５３は、複数の回転ロールと、これらに掛け渡された中間転写ベルトとを有する。二次転写部５４は、二次転写ロールと、これに対向するバックアップロールとを有する。なお、画像形成部５０の各符号のうち、その末尾にアルファベット（Ｙ、Ｍ、Ｃ又はＫ）が付されたものは、アルファベットに対応する色の画像形成に関わる構成である。末尾のアルファベットのみが異なる各符号は、その位置や用いるトナーが異なるが、その構成は共通である。なお、これら各構成の各々を特に区別する必要がない場合には、符号の末尾のアルファベットを省略して説明する。
【００１２】
画像形成部５０においては、図２に示す破線の矢印方向（搬送方向Ｔ）に搬送される媒体に画像が形成される。感光体ドラムは、表面に光導電膜を積層した円筒状の部材である。帯電装置は、感光体ドラムの光導電膜を決められた電位に帯電させる。露光部５２は、帯電された感光体ドラムに画像データに応じた光を照射（露光）して露光光に応じた静電潜像を形成する。このときの露光強度や露光位置は制御部１０によって制御される。現像装置５１１は、上述した４色のトナーを用いて、各感光体ドラムに形成された静電潜像を現像する。中間転写ベルトは、無端のベルト状の部材であり、前述した複数の回転ロール、一次転写ロール及びバックアップロールと接触しながら、矢印ｒ方向に移動する。中間転写ベルトが掛け渡された各回転ロールは、中間転写ベルトを支持する円筒状の部材であり、その中心軸を回転軸として回転する。
【００１３】
一次転写ロールは、中間転写ベルトを挟んで感光体ドラムと対向する円筒状の部材である。この一次転写ロールと感光体ドラムとの間の電位差によって、感光体ドラム表面のトナー像が中間転写ベルト表面に転写される。二次転写ロールは、中間転写ベルトを挟んでバックアップロールと対向する円筒状の部材である。二次転写ロールとバックアップロールとの間の電位差によって中間転写ベルト表面のトナー像が媒体の表面に転写される。複数の搬送ロール５５は、二次転写部５４が転写を行う位置に媒体を搬送し、トナー像が転写された媒体を定着部５６が設けられた位置に搬送する円筒状の部材である。定着部５６は、トナー像が転写された媒体を加熱及び加圧し、トナー像を媒体に定着させる。
【００１４】
次に、本実施形態の定着装置５６との比較例である定着装置５６ａについて説明を行った後、本実施形態における定着装置５６について説明を行う。図３及び図４は、定着装置５６ａの構成を表す断面図であり、定着装置５６ａを、媒体の搬送方向に交わる方向であって、水平な方向から見たときの構造を表している。定着装置５６ａは、発熱部５６０及び加圧部５６５を備えている。加圧部５６５は、回転軸５６７を中心に方向Ｒに回転可能である。図４は、加圧部５６５が発熱部５６０に接した状態を表しており、この状態で加圧部５６５及び発熱部５６０の間に媒体が挟まれてトナー像の定着がなされる。一方、図３は、加圧部５６５が図４の状態から下方へと或る量だけ回転して発熱部５６０から離間した状態を表している。なお、加圧部５６０の回転とは、３６０°以上回転することを要求するものではなく、３６０°未満の回転のことである。このように加圧部５６５が回転軸５６７を中心に回転することにより、加圧部５６５の加圧ロール５７３は回転軸５６７を中心に円運動を行うことになる。この円運動は、完全な円を描く運動である必要は無く、例えば楕円を描く運動であってもよい。
【００１５】
発熱部５６０は、無端ベルト５６１と、押し当て部材５６２と、発熱体５６３と、回転ロール５６４とを備える。無端ベルト５６１は、媒体２００（図４）の搬送方向Ｔに交差する方向の幅より大きい寸法の幅を有する無端の帯状部材であり、発熱部５６０の外周面を形成している。無端ベルト５６１は、その内周面が押し当て部材５６２によって支持された状態で、加圧部５６５の加圧ロール５７３の回転に伴って方向Ａに沿って回転する。押し当て部材５６２は、例えば無端ベルト５６１の幅とほぼ同じ長さを有する形状の合成樹脂及び金属板が重ねられて構成されている。合成樹脂は無端ベルト５６１の内周面に接する位置に設けられ、金属板はこの合成樹脂を支持している。押し当て部材５６２は、無端ベルト５６１を、その内周面側から支持しており、加圧部５６５が発熱部５６０に接した状態では無端ベルト５６１を加圧部５６５の加圧ロール５７３の外周面に押し当てる。これにより、無端ベルト５６１の外周面と加圧ロール５７３の外周面との間には、圧接部ＮＰ（図４）が形成される。この圧接部ＮＰの、搬送方向Ｔにおける長さは例えば３ｃｍである。発熱体５６３は、例えば無端ベルト５６１の幅とほぼ同じ長さを有する円筒状のハロゲンランプと、当該ハロゲンランプを覆い支持する支持部材とで構成されている。この発熱体５６３は、押し当て部材５６２の上方（圧接部ＮＰから遠いほう）においてその押し当て部材５６２に接するようにして配置されており、押し当て部材５６２を加熱する。押し当て部材５６２の表面温度は図示しない温度検出器により検出され、その検出値に基づいて発熱体５６３の発熱量が制御部１０によって制御される。これにより、押し当て部材５６２の表面温度が、定着に適するように予め決められた温度に保たれる。回転ロール５６４は、例えば無端ベルト５６１の幅よりも回転軸が長い円筒状の部材であり、無端ベルト５６１の回転に伴い、その回転軸を中心に回転する。
【００１６】
加圧部５６５は、開口部ＯＰ１を有する中空の立方体形状のケース５６６と、ケース５６６内に設けられた回転軸５６７、ギア５６８〜５７２、及び加圧ロール５７３とを備える。なお、図においてギアの外周に複数設けられた歯については図示を省略し、各ギアを円形の図形で表現している。このケース５６６は、加圧ロール５７３の回転軸方向において、媒体２００の搬送方向Ｔに交差する方向の幅より大きい寸法の幅を有している。加圧部５６５は、制御部１０の制御の下、図示しない駆動部より駆動力を受けることで、回転軸５６７を中心として方向Ｒに回転することにより、発熱部５６０と離間したり接したりする。ここで、加圧ロール５７３が発熱部５６０に接することで圧接部ＮＰの形成された状態が維持され続けると、熱により加圧ロール５７３が破損する可能性がある。従って、加圧部５６５は、媒体２００に定着が行われている間は発熱部５６０と接し、定着が行われていない間は発熱部５６０と離間するようになっているわけである。図４において回転軸５６７の回転中心５７４は、図中の高さ方向（Ｚ方向）において、圧接部ＮＰよりも高い位置にある。加圧ロール５７３は、媒体２００の搬送方向Ｔに交差する方向の幅より大きい寸法の軸長を有する金属製の円筒機材の表面に、弾性層と離型層とが形成されたものである。加圧ロール５７３の回転軸の両端部は、ベアリング式の軸受けを介して、図示しないフレームに回転自在に支持されている。
【００１７】
ギア５６８は回転軸５６７の先端部に取り付けられており、回転軸５６７と一体に回転することで、加圧部５６５の回転に伴う回転軸５６７の回転をギア５６９に伝達する。また、ギア５７２は、加圧ロール５７３の先端部に取り付けられており、加圧ロール５７３と一体に回転する。ギア５６８はギア５６９に噛み合い、ギア５６９はギア５７０に噛み合い、ギア５７０はギア５７１に噛み合い、ギア５７１はギア５７２に噛み合っている。このように、ギア５６８〜５７２同士は連結されており、それぞれの部材がそれぞれの回転軸を中心に回転する。ギア５６８が、加圧部５６５の回転に伴う回転軸５６７の回転をギア５６９に伝達し、ギア５６９〜ギア５７１がそれぞれ上記回転を伝達することで、ギア５７２が方向Ｂに回転するときに、加圧ロール５７３もギア５７２と一体となって方向Ｂに回転する。
【００１８】
図４において、加圧部５６５が発熱部５６０に接した状態では、加圧ロール５７３が無端ベルト５６１及び押し当て部材５６２に対して加圧力ＷＦで押し付けられていることにより、加圧ロール５７３と無端ベルト５６１との間に圧接部ＮＰが形成される。媒体２００が圧接部ＮＰを通過する際に加熱及び加圧されることで、トナー像が媒体２００に定着する。このとき、加圧力ＷＦは、回転軸５６７を中心とした加圧部５６５の回転による影響を受けて、その大きさが変動するが、具体的には以下のとおりである。加圧ロール５７３が方向Ｂに回転し、無端ベルト５６１が方向Ａに回転することで、媒体２００は搬送方向Ｔに搬送される。このとき圧接部ＮＰにおいて、無端ベルト５６１と媒体２００との間、媒体２００と加圧ロール５７３との間にそれぞれ摩擦が生じるが、特に媒体２００の表面と加圧ロール５７３の表面との摩擦により、加圧ロール５７３に対して矢印で表した摩擦力Ｆが作用する。この摩擦力は、加圧ロール５７３の表面に対して媒体２００が移動しなければ（つまり加圧ロール５７３の表面に対して媒体２００が滑らなければ）、静止摩擦力であるし、加圧ロール５７３の表面に対して媒体２００が移動していれば（つまり加圧ロール５７３の表面に対して媒体２００が滑る現象が生じていれば）、動摩擦力である。この摩擦力Ｆは加圧部５６５に対する外力として作用するから、図４に示されるように摩擦力Ｆを表すベクトルの始点側の延長線上に、回転軸５６７の回転中心５７４がない場合、回転軸５６７周りの回転モーメントが加圧部５６５に発生する。図４の例の場合には、加圧部５６５を上方に回転させようとする回転モーメントが発生する。これにより、加圧力ＷＦは、この回転モーメントによる影響を受けて、その大きさが大きくなり、圧接部ＮＰにおける加圧ロール５７３及び無端ベルト５６１間の距離が変動する。つまり、この場合、加圧ロール５７３が無端ベルト５６１に過度に接することで、圧接部ＮＰにかかる加圧力ＷＦが最適な状態より大きなものとなる。このような状態であると、媒体２００が圧接部ＮＰを通過する際に適切な加熱及び加圧が行われず、媒体２００へのトナー像の定着が不完全なものとなる可能性があるとともに、加圧力ＷＦが大きすぎることにより圧接部ＮＰにおいて媒体２００が詰まるような事象が発生する可能性もある。
【００１９】
次に、図５を参照して、本発明の実施形態における定着装置５６について説明を行う。図５は、実施形態における定着装置５６の構成を表す断面図である。図５において、図３及び図４と同一の符号を付したものは図３及び図４と同一の内容である。図５における定着装置５６は、回転軸５６７の回転中心５７４が、図中の高さ方向（Ｚ方向）において、圧接部ＮＰと同じ位置にあることにおいて、図３及び図４における定着装置５６ａと異なっている。つまり、回転軸５６７の回転中心５７４は、圧接部ＮＰにおける媒体２００の搬送方向Ｔの延長線上にある。
【００２０】
図５において、制御部１０の制御の下で加圧部５６５が発熱部５６０に接して、加圧ロール５７３から無端ベルト５６１及び押し当て部材５６２に対して加圧力ＷＦが作用することにより、圧接部ＮＰが形成される。加圧ロール５７３が方向Ｂに回転し、無端ベルト５６１が方向Ａに回転することで、媒体２００は搬送方向Ｔに進む。このとき圧接部ＮＰにおいて、加圧ロール５７３の表面と媒体２００の表面との摩擦により、加圧ロール５７３には矢印で表した方向の摩擦力Ｆが作用する。この摩擦力Ｆは加圧部５６５に対する外力として作用することになる。ここで、回転軸５６７の回転中心５７４は、圧接部ＮＰにおける媒体２００の搬送方向Ｔの延長線上にあるから、摩擦力Ｆを表すベクトルの始点側の延長線上にあることになる。つまり、定着装置５６の設計段階において、上記の摩擦力Ｆを表すベクトルの始点側の延長線上に回転軸５６７の回転中心５７４があるように、回転軸５６７の位置、ケース５６６の形状や大きさ、及び加圧ロール５７３の径や取り付け位置が決められているのである。このように、摩擦力Ｆが発生したときに、図５に示されるようにその摩擦力Ｆを表すベクトルの始点側の延長線上に、回転軸５６７の回転中心５７４がある場合、回転軸５６７周りの回転モーメントが発生しない。従って、加圧力ＷＦは、回転モーメントによる影響を受けず、圧接部ＮＰにおける加圧ロール５７３及び無端ベルト５６１間の距離が変動することが抑制される。つまり、加圧ロール５７３が回転したときであっても、加圧ロール５７３が発熱部５６０に押し付けられた状態が維持される。これにより、媒体２００が圧接部ＮＰを通過する際に適切な加熱及び加圧が行わるから、例えば加圧力ＷＦが大きすぎることで、圧接部ＮＰにおいて媒体２００が詰まるような事象の発生する可能性が低減する。
【００２１】
なお、図５においては、加圧部５６５と発熱部５６０が接した状態を示したが、定着装置５６においても、定着装置５６ａと同様に、加圧部５６５が回転軸５６７を中心として方向Ｒに回転することにより、発熱部５６０と離間することが可能である。
【００２２】
このように、本実施形態によれば、円運動の中心となる或る点が、ロール部材が媒体から受ける摩擦力を表すベクトルの始点側の延長線上にない場合と比較して、発熱する発熱部と、円運動を行うことにより、発熱部に押し付けられた状態と発熱部から離間させられた状態とのうちいずれかの状態になるロール部材とを備えた定着装置において、ロール部材が発熱部に押し付けられた状態でそのロール部材が回転したときに、そのロール部材の発熱部に押し付けられた状態が維持される。また、円運動の中心となる或る点が、ロール部材が媒体から受ける摩擦力を表すベクトルの始点側の延長線上にない場合と比較して、媒体上におけるトナー像の定着の不良が起こりにくくなる。
【００２３】
＜変形例＞
以上の実施形態は、次のように変形可能である。
実施形態において発熱部５６０は、無端ベルト５６１、押し当て部材５６２、発熱体５６３、及び回転ロール５６４から構成されていたが、これに代えて次のようにしてもよい。変形例における発熱部は、発熱ロールと、発熱体とで構成される。発熱ロールは、媒体２００（図５）の搬送方向Ｔに交差する方向の幅より大きい寸法の幅を有する円筒状の部材である。発熱体は、実施形態と同様の構成をとり、発熱ロールの円筒内に組み込まれることで、発熱ロールを加熱する。このようにしても、実施形態と同様の効果を奏する。
また、加圧ロールを回転させるための機構は、実施形態におけるギアを用いた伝達機構に限らず、加圧ロールに設けられたプーリ及びプーリに掛け渡された伝動ベルトを用いて、駆動部の駆動力を伝達するようにしてもよい。
なお、画像形成部５０は、必ずしも二次転写部５４を必要とせず、一次転写部５１Ｙ〜５１Ｋのみによって媒体へのトナー像の転写がなされてもよい。また、一次転写部は必ずしもカラー画像を形成せずともよく、一次転写部５１Ｋのみを用いてモノクロの画像が形成されるようにしてもよい。
【符号の説明】
【００２４】
１０…制御部、２０…通信部、３０…操作部、４０…記憶部、５０…画像形成部、５１Ｙ，５１Ｍ，５１Ｃ，５１Ｋ…一次転写部、５１１Ｙ，５１１Ｍ，５１１Ｃ，５１１Ｋ…現像装置、５２…露光部、５３…中間転写部、５４…二次転写部、５５…搬送ロール、５６…定着部、１００…画像形成装置、２００…媒体、５６０…発熱部、５６１…無端ベルト、５６２…押し当て部材、５６３…発熱体、５６４…回転ロール、５６５…加圧部、５６６…ケース、５６７…回転軸、５６８〜５７２…ギア、５７３…加圧ロール、５７４…回転中心、Ａ，Ｂ，ｒ，Ｒ…方向、Ｆ…摩擦力、ＮＰ…圧接部、ＯＰ…開口部、Ｔ…搬送方向、ＷＦ…加圧力
【図１】
2012203246.tif 000003
【図２】
2012203246.tif 000004
【図３】
2012203246.tif 000005
【図４】
2012203246.tif 000006
【図５】
2012203246.tif 000007